(57)【特許請求の範囲】
【請求項１】
格子状に二次元配列された複数の発光点から副走査方向に間隔を持った複数の光ビームの光束群を射出する光源と、
前記光源から射出した前記光束群が通過する偏向前光学系と、
前記偏向前光学系を通過した複数の前記光束群を偏向面で反射し主走査方向に偏向走査する偏向器と、
を備え、
偏向走査した前記光束群を分割して各々異なる被走査体に走査し、該光束群を構成する各光ビームで、同一の被走査体に複数の走査線を同時に形成する光走査装置であって、
前記光源を、光軸を回転中心として回転可能に支持すると共に、該光源を光軸方向へ移動させずに光軸を回転中心として回転して角度を変え、前記光束群を構成する各光ビームの副走査方向のピッチを調整する角度調整手段を備え、
前記偏向前光学系は、
主走査方向にはパワーが無く、副走査方向にパワーを有するとともに前記複数の光ビームの光束群が通過するシリンダーレンズと、
前記シリンダーレンズを光軸方向に移動可能に支持すると共に、該シリンダーレンズを光軸方向に移動させることで、前記偏向器の前記偏向面に入射する複数の前記光束群の副走査方向の入射角度を略同一となるように調整する第一の入射角度調整手段と、
を有することを特徴とする光走査装置。
【請求項２】
前記第一の入射角度調整手段は、前記偏向器の前記偏向面に入射する複数の前記光束群の副走査方向の入射角度を該偏向面に対して略直角になるように調整することを特徴とする請求項１に記載の光走査装置。
【請求項３】
複数の前記光源を備え、
複数の前記光源から射出した前記光束群は、同一の偏向器で偏向走査され、
前記第一の入射角度調整手段は、前記光源毎に備えていることを特徴とする請求項１、又は請求項２に記載の光走査装置。
【請求項４】
前記偏向前光学系のうち少なくとも一つは、前記第一の入射角度調整手段に加え、
他の光源から射出した他の光束群が前記偏向面に入射する副走査方向の入射角度と当該光束群の入斜角度とが略同一となるように、当該光束群の入射角度を調整する第二の入射角度調整手段を備えることを特徴とする請求項３に記載の光走査装置。
【請求項５】
前記偏向器は異なる前記偏向面で、各々前記光束群を偏向走査することを特徴とする請求項１から請求項４のいずれか１項に記載の光走査装置。
【発明の詳細な説明】
【技術分野】
【０００１】
本発明は、光走査装置に関する。
【背景技術】
【０００２】
従来から、タンデム方式のカラーレーザープリンター等において、単一の光源から射出され単一の偏向器によって偏向された複数のレーザビームを分離して複数の感光体を走査する光走査装置が知られている。
【０００３】
また、プリント速度の高速化やカラー画像の高解像度化を目的として、各組２個の発光点で構成された４組の発光点群を備えるマルチレーザービームアレイから射出された合計８本のレーザビームを、各２本ずつ４組のレーザビーム群に分離して、４本の感光体を走査する光走査装置も知られている。
【０００４】
さて、このような光走査装置において、光源を、光軸を回転中心として回転させて角度を持たせることで、感光体上の、複数の走査線の副走査方向の間隔を調整する光走査装置が提案されている。（例えば、特許文献１参照）。
【特許文献１】特開２００４−２７６５３２号公報
【発明の開示】
【発明が解決しようとする課題】
【０００５】
しかしながら、このような構成は、単一の光源から射出された複数のレーザビームを分割するために、レーザビーム群に分離する位置で、所定の間隔を設ける必要がある。そのために偏向前光学系をテレセントリックとする、若しくは偏向面と直交する副走査方向に所定の角度を設けることとなるが、偏向前光学系の焦点距離誤差により、偏向器の偏向面への斜入射角度に誤差が生じる。（図４参照）。そして、この斜入射角度の誤差により感光体上で走査線が弓なりになる湾曲する、所謂Ｂｏｗが発生する。（図８参照）。更に、同一走査で複数のレーザビームを走査する場合、この湾曲量が各レーザビーム毎に異なり、主走査方向の走査位置によって副走査方向の走査線の間隔が異なる、所謂Ｂｏｗ差が発生する。（図１０（Ａ）参照）。
【０００６】
本発明は、上記問題を解決すべく成されたもので、Ｂｏｗ差を減少させることを目的とする。
【課題を解決するための手段】
【０００７】
上記目的を達成するために請求項１に記載の光走査装置は、格子状に二次元配列された複数の発光点から副走査方向に間隔を持った複数の光ビームの光束群を射出する光源と、前記光源から射出した前記光束群が通過する偏向前光学系と、前記偏向前光学系を通過した複数の前記光束群を偏向面で反射し主走査方向に偏向走査する偏向器と、を備え、偏向走査した前記光束群を分割して各々異なる被走査体に走査し、該光束群を構成する各光ビームで、同一の被走査体に複数の走査線を同時に形成する光走査装置であって、前記光源を、光軸を回転中心として回転可能に支持すると共に、該光源を光軸方向へ移動させずに光軸を回転中心として回転して角度を変え、前記光束群を構成する各光ビームの副走査方向のピッチを調整する角度調整手段を備え、前記偏向前光学系は、主走査方向にはパワーが無く、副走査方向にパワーを有するとともに前記複数の光ビームの光束群が通過するシリンダーレンズと、前記シリンダーレンズを光軸方向に移動可能に支持すると共に、該シリンダーレンズを光軸方向に移動させることで、前記偏向器の前記偏向面に入射する複数の前記光束群の副走査方向の入射角度を略同一となるように調整する第一の入射角度調整手段と、を有することを特徴としている。
【０００８】
請求項１に記載の光走査装置は、第一の入射角度調整手段によって、偏向器の偏向面に入射する光束群の副走査方向の入射角度を略同一となるように調整することにより、走査線の湾曲量を略同一に調整する。
【０００９】
したがって、主走査方向の走査位置によらずに、すなわち、被走査体全面に渡って、副走査方向の走査線の間隔が略均一となり、Ｂｏｗ差が減少する。また、角度調整手段によって、光源を光軸方向へ移動させずに光軸を回転中心として回転して角度を調整することで、各走査線の副走査方向のピッチを調整することができる。
【００１０】
請求項２に記載の光走査装置は、請求項１に記載の構成において、前記第一の入射角度調整手段は、前記偏向器の前記偏向面に入射する複数の前記光束群の副走査方向の入射角度を該偏向面に対して略直角になるように調整することを特徴としている。
【００１１】
請求項２に記載の光走査装置は、第一の入射角度調整手段によって、偏向器の偏向面に入射する光束群の副走査方向の入射角度を該偏向面に対して略直角になるように調整することにより、走査線の湾曲量を略同一に調整する。
したがって、主走査方向の走査位置によらずに、すなわち、被走査体全面に渡って、副走査方向の走査線の間隔が略均一となり、Ｂｏｗ差が減少する。
【００１２】
請求項３に記載の光走査装置は、請求項１、又は請求項２に記載の構成において、複数の前記光源を備え、複数の前記光源から射出した前記光束群は、同一の前記偏向器で偏向走査され、前記入射角度調整手段は、前記光源毎に備えていることを特徴としている。
【００１３】
請求項３に記載の光走査装置は、入射角度調整手段を光源毎に備えているので、光源毎に走査線の湾曲量を略同一にできる。
【００１４】
請求項４に記載の光走査装置は、請求項３に記載の構成にいて、前記偏向前光学系のうち少なくとも一つは、前記第一の入射角度調整手段に加え、他の光源から射出した他の光束群が前記偏向面に入射する副走査方向の入射角度と当該光束群の入斜角度とが略同一となるように、当該光束群の入射角度を調整する第二の入射角度調整手段を備えることを特徴としている。
【００１５】
請求項４に記載の光走査装置は、他の光源から射出した他の光束群が偏向面に入射する副走査方向の入射角度と当該光束群の入射角度とが同一となるように、当該光束群の入射角度を調整する第二の入射角度調整手段を備えているので、光源間の走査線の湾曲量も略同一とすることができる。
【００１６】
請求項５に記載の光走査装置は、請求項１から請求項４のいずれか１項に記載の構成において、前記偏向器は異なる前記偏向面で、各々前記光束群を偏向走査することを特徴としている。
【００１７】
請求項５に記載の光走査装置は、偏向器は異なる偏向面で、各々光束群を偏向走査しているので、複数の被走査体への走査のための設計の自由度が大きい。
【発明の効果】
【００２０】
以上説明したように本発明によれば、第一の入射角度調整手段によって、偏向器の偏向面に入射する光束群の副走査方向の入射角度を調整することで走査線の湾曲量を調整し、所謂Ｂｏｗ差を減少することができる。
【発明を実施するための最良の形態】
【００２１】
図１、図２に示すように、カラーレーザープリンターには、第一実施形態の光走査装置１０が備えられている。光走査装置１０は、それぞれ矢印Ｖ方向に回転する感光体１２Ｙ、１２Ｍ、１２Ｃ、１２Ｋに、それぞれ光束群としてのレーザビーム群ＬＹ、ＬＭ、ＬＣ、ＬＫを照射して潜像を形成する。感光体１２Ｙ、１２Ｍ、１２Ｃ、１２Ｋに形成された潜像は、図示しない各色の現像器によって現像され、それぞれイエロー（Ｙ）、マゼンタ（Ｍ）、シアン（Ｃ）、及びブラック（Ｋ）のトナー像が形成される。各感光体１２Ｙ、１２Ｍ、１２Ｃ、１２Ｋ上の各色トナー像は図示しない中間転写体に転写され重ね合われてフルカラートナー像となる。そして、中間転写体上のフルカラートナー像は一括して普通紙等の記録媒体に転写される。
【００２２】
なお、これ以降、ＹＭＣＫを区別する場合は、符号の後にＹ、Ｍ、Ｃ、Ｋのいずれかを付して説明し、ＹＭＣＫを区別しない場合は、Ｙ、Ｍ、Ｃ、Ｋを省略する。
【００２３】
光走査装置１０は、光源１４、偏向前光学系１６、偏向器としての回転多面鏡１８、及び走査光学系２０で構成されている。単一の光源１４から副走査方向（後述する）に間隔を持った４本のレーザビーム群ＬＹ、ＬＭ、ＬＣ、ＬＫを射出して、各レーザビーム群ＬＹ、ＬＭ、ＬＣ、ＬＫを分離して４本の感光体１２Ｙ、１２Ｍ、１２Ｃ、１２Ｋに結像走査させる。
【００２４】
なお、感光体１２において、回転軸方向が主走査方向であり、回転方向が副走査方向である。また、光走査装置１０の回転多面鏡１８の回転による偏向走査方向が主走査方向に対応する方向であり、偏向走査方向に直交する方向が副走査方向に対応する方向である。
【００２５】
光源１４は、８行×４列の計３２個の発光点Ｐが主走査方向、及び副走査方向に格子状に二次元配列された面発光レーザービームアレイである。
【００２６】
図３（Ａ）に示すように、光源１４の副走査方向には、それぞれが８個の発光点Ｐで構成される４群の発光点群ＰＫ、ＰＣ、ＰＭ、ＰＹが副走査方向に配列されている。各発光点群は、主走査方向、及び副走査方向に対して傾斜し、直線状に配列された８個の発光点Ｐで構成されている。発光点群ＰＫ、ＰＣ、ＰＭ、ＰＹは、それぞれレーザビーム群ＬＫ、ＬＣ、ＬＭ、ＬＹを射出する。
【００２７】
また、図３（Ｂ）にも示すように、それぞれのレーザビーム群ＬＹ、ＬＭ、ＬＣ、ＬＫは、それぞれ８本のレーザビームからなり、８本のレーザビームで各色に対応した感光体１２を同時に走査する。
【００２８】
なお、以降、レーザビーム群ＬＹ〜Ｋと記すことがある。また、レーザビームＬと記すことがある。
【００２９】
図１、図２に示すように、偏向前光学系１６は、４群のレーザビーム群ＬＹ〜Ｋに共通の、カップリングレンズ２２、アパーチャ２４、及びシリンダーレンズ２６で構成されている。カップリングレンズ２２は光源１４に面して設けられている。アパーチャ２４は、カップリングレンズ２２の後側焦点位置に設けられている。また、シリンダーレンズ２６は、前側焦点位置をアパーチャ２４の開口２４Ａに合わせて設けられている。なお、シリンダーレンズ２６は、主走査方向にはパワーが無く、副走査方向に正パワーを有する。
【００３０】
光源１４から射出されたレーザビーム群ＬＹ〜Ｋは、カップリングレンズ２２によって集光され、トランケートされながらアパーチャ２４の開口２４Ａを通過し、図４に示すように、シリンダーレンズ２６によって副走査方向に対応した方向にのみ集光し、回転多面鏡１８の偏向面１８Ａに入射する。
【００３１】
図１に示すように、回転多面鏡１８は、６面の偏向面１８Ａを有し、毎分３万回転の速度で回転し、各感光体１２に走査線を形成する。なお、前述したように、回転多面鏡１８の回転による偏向走査方向が主走査方向に対応する方向であり、偏向走査方向に直交する方向が副走査方向に対応する方向である。
【００３２】
走査光学系２０は、レーザビーム群ＬＹ〜Ｋが通過するアナモフィック非球面レンズ２８と、分離手段としての平面ミラー群３０と、各レーザビーム群ＬＹ〜Ｋ毎に設けられたトロイダルレンズ３２Ｙ、３２Ｍ、３２Ｃ、３２Ｋと、で構成されている。非球面レンズ２８、及び非球面レンズ３２は共に正パワーを持つ。
【００３３】
非球面レンズ２８は、回転多面鏡１８によって偏向されたレーザビーム群ＬＹ〜Ｋの光路に設けられ、副走査方向の焦点距離が６０ｍｍとなっている。また、偏向面１８Ａからの距離も６０ｍｍとなっている。これによって、各レーザビーム群ＬＹ〜Ｋは、非球面レンズ２８の後側焦点位置で交差して平面ミラー群３０へ入射する。また、各レーザビームＬは略平行光となる。
【００３４】
また、非球面レンズ２８は、主走査方向に対して、トロイダルレンズ３２Ｙ、３２Ｍ、３２Ｃ、３２Ｋと協働してｆθ特性を持つように構成されている。
【００３５】
平面ミラー群３０は、各レーザビーム群ＬＹ〜Ｋ毎に設けられた第１平面ミラー３４Ｙ、３４Ｍ、３４Ｃ、３４Ｋ、及び第２平面ミラー３６Ｙ、３６Ｍ、３６Ｃ、３６Ｋで構成されている。
【００３６】
第１平面ミラー３４Ｙ、３４Ｍ、３４Ｃ、３４Ｋは、平面ミラー群３０へ入射された各レーザビーム群ＬＹ〜Ｋを負の方向へ反射する。また、第２平面ミラー３６Ｙ、３６Ｍ、３６Ｃ、３６Ｋは、第１平面ミラー３４Ｙ、３４Ｍ、３４Ｃ、３４Ｋによって反射された各レーザビーム群ＬＹ〜Ｋを各感光体１２へ向って反射する。
【００３７】
第１平面ミラー３４Ｙ、３４Ｍ、３４Ｃ、３４Ｋは、非球面レンズ２８から３００ｍｍ離れた位置に配置されており、この位置での各レーザビーム群ＬＹ〜Ｋの副走査方向の間隔は２．８ｍｍとなっているので、充分に第１平面ミラー３４Ｙ、３４Ｍ、３４Ｃ、３４Ｋを配置するスペースを確保できる。
【００３８】
トロイダルレンズ３２Ｙ、３２Ｍ、３２Ｃ、３２Ｋは、それぞれ第２平面ミラー３６Ｙ、３６Ｍ、３６Ｃ、３６Ｋによって反射された各レーザビーム群ＬＹ〜Ｋを、各感光体１２へ副走査方向に所定の間隔で集束させる。また、前述したように、非球面レンズ２８と協働してｆθ特性をもつ。
【００３９】
図５に示すように、シリンダーレンズ２６は、光軸Ｇ方向に平行に移動可能となっている。そして、図５に示すように、このシリンダーレンズ２６の、光軸Ｇ方向の移動によって、偏向前光学系１６の倍率が調整可能となると共に、レーザビーム群ＬＹ〜Ｋの、回転多面鏡１８の偏向面１８Ａへの副走査方向の入射角度は実線の拡散状態が、破線のように各レーザビーム群ＬＹ〜ＬＫの主光線が平行になるように変化する。なお、図５は、模式的に極端に図示している。
【００４０】
また、図１，図２に示すように、光源１４は光軸Ｇを回転中心として角度を調整することで、各レーザビームＬのピッチが調整可能となっている。
【００４１】
つぎに、シリンダーレンズ２６を光軸Ｇ方向に平行に移動するシリンダーレンズ移動機構１００について説明する。
【００４２】
図６に示すように、シリンダーレンズ２６は、レンズフォルダー１０２に取り付けられている。レンズフォルダー１０２は、レンズフォルダー取付部材１０４の、円筒形の挿入部１０４Ａに、光軸Ｇ方向に移動可能に挿入される。レンズフォルダー１０２には、アーム部１０６が形成されている。図６（Ｂ）に示すように、アーム部１０６は引っ張りコイルスプリング１０８，１１０により引っ張られ、ビス１１２の先端に当接している。ビス１１２はレンズフォルダー取付部材１０４の取付部１１６に螺合いされている。よって、ビス１１２を回転することによりビス１１２の先端が光軸Ｇ方向に沿って移動し、これによりアーム部１０６も矢印Ｙに示すように、光軸Ｇ方向に移動する。この移動によって、レンズフォルダー１０２、すなわち、シリンダーレンズ２６が光軸Ｇ方向に移動する機構となっている。
【００４３】
つぎに、光源１４を、光軸Ｇを回転中心に回転させる光源回転機構１５０について説明する。
【００４４】
図７に示すように、光源１４が取り付けられたブラケット１５２が、ブラケット取付部材１５４に対して光軸Ｇを回転中心として回動可能に取り付けられている。ブラケット１５２には、アーム部１５４が形成されている。アーム部１５４は、引っ張りコイルスプリング１５６により引っ張られ、ビス１５８の先端に当接している。ビス１５８は取付部１６０に螺合いされている。よって、ビス１５８を回転することにより先端が上下に移動し、これによりアーム部１５４も矢印Ｚで示すように上下動する。この上下動によってブラケット１５２、すなわち、光源１４が光軸Ｇを回転中心に回転（回動）する機構となっている。
【００４５】
なお、シリンダーレンズ移動機構１００、及び光源回転機構１５０であるが、上記のように手動でビス１１２、１５８を回転する構成でなく、ステッピングモーター等を用いても良い。或いは、上記とは異なる機構であっても良い。要は、シリンダーレンズ２６を光軸Ｇ方向に移動可能、及び、光源１４を、光軸Ｇを回転中心に回転可能な構成であれば良い。
【００４６】
つぎに本実施形態の作用について説明する。
【００４７】
図８に示すように、レーザビームＬが回転多面鏡１８の偏向面１８に対して副走査方向に斜めに入射することにより、各感光体１２には湾曲した走査線Ｓが形成される。また、入射角度によって湾曲量が異なる。
【００４８】
さて、本実施形態のように、図１等に示すように、発光点Ｐが格子状に二次元配列された単一の光源１４から射出される複数のレーザビームＬを分割して、複数の感光体１２に各々複数の走査線Ｓを同時に形成する光走査装置１０においては、各レーザビーム群ＬＹ〜Ｋの、回転多面鏡１８の偏向面１８への副走査方向の入射角度が異なると、各感光体１２で走査線Ｓの湾曲度合いが異なり色ズレとなる。更に、同一の感光体１２を走査する複数のレーザビームＬ間でも、回転多面鏡１８の偏向面１８への副走査方向の入射角度が異なることになるため、図１０（Ａ）に示すように、複数のレーザビームで形成される各走査線Ｓの湾曲度合いが異なり、感光体１２上のレーザビームＬ間のピッチ、すなわち、走査線Ｓ１からＳ４の間隔が、中央部と両端部とで異なることになる。換言すると、主走査方向の走査位置によって副走査方向の走査線の間隔が異なる、所謂Ｂｏｗ差が発生する。
【００４９】
なお、判りやすくするため、走査線Ｓは、本実施形態では実際には８本あるが、図１０では走査線Ｓ１から走査線Ｓ４の四本のみ図示し、説明も図示に合わせた。また、他の図においても、適時省略して図示すると共に、図示に合わせた説明とすることがある。
【００５０】
さて、従来は、副走査方向にパワーを持つ、所謂、倒れ補正光学系を、偏向走査後（つまり、回転多面鏡１８の後）に設け、その補正光学系の母線を湾曲させることにより走査線の湾曲量を略同一として色ズレを軽減させている。
【００５１】
しかし、このような方法は、同一の感光体を走査するレーザビーム間の補正はできず、走査線の副走査方向の間隔が異なる部分が生じてしまう（Ｂｏｗ差が発生する）。倒れ補正光学系により、その度合いは軽減されるが、回転多面鏡の偏向面と披走査面である感光体とが共役関係にあるため、０（ゼロ）にはならない。共役関係の倍率（共役倍率）が拡大系（横倍率が１以上）であるときは、顕著に走査線毎の湾曲量が異なり、走査線の副走査方向の間隔が異なることになる。そうなると、特開２００４−２７６５３２号公報（特許文献１）のように、光源に所定の角度を持たせて走査線のピッチを調整しても、感光体１２の全面において、走査線の間隔が同一とはならない（Ｂｏｗ差が解消されない）。このため、走査線のピッチむらによる濃度差が発生する。
【００５２】
これらが生じる要因は、主に各光学系の焦点距離誤差や機械的な取付精度に起因し、例えば、本実施形態において、シリンダーレンズ２６の曲率が１％異なると、偏向面１８Ａへの入射角度は0.01度変化し、ビーム間隔で約１um変化することになる。
【００５３】
そこで本実施形態では、図５、図９に示すように、シリンダーレンズ２６を光軸Ｇ方向に移動し倍率を調整すると共に、回転多面鏡１８の偏向面１８Ａの各レーザビーム群ＬＹ〜Ｋの副走査方向の入射角度を偏向面に対して略直角になるように（相対的に略並行となるように）調整することにより、各走査線Ｓの湾曲量が縮小すると共に略同一とする。更に、光源１４を、光軸Ｇを回転中心に回転させるにより、走査線Ｓのピッチを調整する。
【００５４】
このように調整することによって、図１０（Ａ）の状態から図１０（Ｂ）に示すように、走査線ＳのＢｏｗがほぼ解消される（走査線Ｓの湾曲量が略均一となる）と共に、主走査方向の走査位置によらず副走査方向の間隔が略均一となる。換言すると、感光体１２の全面に渡って、走査線Ｓの間隔が、副走査方向に略同一となる。
【００５５】
つまり、所謂、Ｂｏｗ及びＢｏｗ差が解消し、この結果、色ズレや濃度ムラが解消する。
【００５６】
つぎに、第二実施形態の光走査装置２００について説明する。
【００５７】
図１１に示すように、光走査装置２００は、第一実施形態と同様の発光点Ｐが格子状に二次元配列された光源２１４，２１５を備えている。（光源を２つ備えている）。なお、図１１は模式的に図示しており、各部材の実際の配置を正確には図示していない。
【００５８】
光源２１４から射出された複数のレーザビームＬからなるレーザビーム群ＬＫ，ＬＣは、カップリングレンズ２２２によって集光され、トランケートされながらアパーチャ２２４を通過した後、反射ミラー２５０によって反射される。反射された後、レンズ２６０とシリンダーレンズ２２６とによって副走査方向に対応した方向にのみ集光し、反射ミラー２５２，２５４によって反射された後、回転多面鏡２１８の偏向面２１８Ａに入射する。
【００５９】
同様に、光源２１５から射出された複数のレーザビームＬからなるレーザビーム群ＬＹ，ＬＭは、カップリングレンズ２２３，アパーチャ２２５を通過した後、反射ミラー２５１によって反射され、レンズ２６１，シリンダーレンズ２２７によって副走査方向に対応した方向にのみ集光し、反射ミラー２５３、２５５によって反射された後、回転多面鏡２１８の偏向面２１８Ａに入射する。
【００６０】
なお、光源１４から射出されたレーザビーム群ＬＫ，ＬＣと光源１４から射出されたレーザビーム群ＬＹ，ＬＭとは、同一の回転多面鏡２１８の同一の偏向面２１８に入射する。そして、回転多面鏡２１８によって偏向走査された後、レーザビーム群ＬＫ，ＬＣ，ＬＹ，ＬＹは、ｆθレンズ２２８等を通過したのち、各感光体１２に結像される。
【００６１】
また、第一の実施形態と同様に、光源２１４，２１５は、光軸を回転中心に回転する。シリンダーレンズ２２６，２２７も光軸方向に平行移動する。
【００６２】
更に、図１２にも示すように、反射ミラー２５４は、副走査方向と直交する軸を回転中心として回転し、光源２１４から射出されたレーザビーム群ＬＫ，ＬＣの、回転多面鏡２１８の偏向面２１８Ａに入射する副走査方向の入射角度を調整可能となっている。なお、図１２では、レーザビーム群ＬＹ，ＬＣのみを図示している。
【００６３】
図１４に反射ミラー２５４による入射角度調整機構を示す。反射ミラー２５４は図示しない筐体に設けられた取り付け基準面２７１に対し、スプリング２７２により裏面から押圧されている。取り付け基準面２７１の片側下部には調整ビス２７３が設けられ、調整ビス２７３を回転させることによりミラー下部が押され、反射ミラー２５４は下向きに角度を変えることができる。
【００６４】
この機構によりレーザビーム群ＬＫ、ＬＣの偏向面１８Ａへの入射角度を変更する。なお、入射角度調整手段は本形態に限られる必要はなく、例えば、反射ミラー２５４をミラーホルダーで保持した状態でホルダーごと回転させるように構成してもよい。
【００６５】
つぎに本実施形態の作用について説明する。
【００６６】
本実施形態は、図１２に示すように、反射ミラー２５４を回転させることで、光源２１４から射出されたレーザビーム群ＬＫ，ＬＣの、回転多面鏡２１８の偏向面２１８Ａに入射する副走査方向の入射角度を調整し、光源２１５から射出されたレーザビーム群ＬＹ，ＬＭと入射角度を略同一にする。このように調整することで、光源２１４と光源２１５とから射出されたレーザビーム群間のＢｏｗ差を略解消することができる。
【００６７】
つぎに、第三実施形態の光走査装置３００について説明する。
【００６８】
図１３に示すように、光走査装置３００は、第一実施形態と同様の発光点Ｐが格子状に二次元配列された光源３１４，３１５を備えている。（光源を２つ備えている）。なお、図１３は、模式的に図示しており、各部材の実際の配置を正確には図示していない。
【００６９】
光源３１５から射出された複数のレーザビームＬからなるレーザビーム群ＬＫ，ＬＣは、カップリングレンズ３２３によって集光され、トランケートされながらアパーチャ３２５を通過した後、レンズ３６１とシリンダーレンズ３２７とによって副走査方向に対応した方向にのみ集光し、反射ミラー３５５によって反射された後、回転多面鏡３１８の偏向面３１８Ａに入射する。回転多面鏡３１８によって偏向走査された後、ｆθレンズ４２８等を通過したのち、分離ミラー３３０によりＬＫ、並びにＬＣに分離された後、各感光体３１２Ｋ，３１２Ｃに結像される
同様に、光源３１４から射出された複数のレーザビームＬからなるレーザビーム群ＬＹ，ＬＭは、カップリングレンズ３２２によって集光され、トランケートされながらアパーチャ３２４を通過した後、レンズ３６０とシリンダーレンズ３２６によって副走査方向に対応した方向にのみ集光し、反射ミラー３５４によって反射された後、回転多面鏡３１８の偏向面３１８Ａに入射する。回転多面鏡３１８によって偏向走査された後、ｆθレンズ３２８等を通過したのち、分離ミラー３３０によりＬＹ、並びにＬＭに分離された後、各感光体３１２Ｙ，３１２Ｍに結像される
なお、図１３をみると判るように、光源３１５から射出されたレーザビーム群ＬＫ、ＬＣと光源３１４から射出されたレーザビーム群ＬＹ、ＬＭとは、回転多面鏡３１８の前述したレーザビーム群ＬＫ，ＬＣが入射する偏向面と対向する異なる偏向面３１８Ａに入射する。
【００７０】
また、光源３１４，３１５は、光軸を回転中心に回転する。シリンダーレンズ３２６，３２７も光軸方向に移動することによりレーザビーム群ＬＫ、ＬＣ、及びレーザビーム群ＬＹ、ＬＭの相互の偏向面３１８Ａへの副走査角度差を調整することができる。更に、第二実施形態と同様に、反射ミラー３５４も副走査方向を直交する軸に回転し、光源３１４から射出されたレーザビーム群ＬＹ、ＬＭの、回転多面鏡３１８の偏向面１８Ａに入射する副走査方向の入射角度をＬＫ、及びＬＣに対して調整可能となっている。（図１２参考）。
【００７１】
なお、本実施形態も、第一実施形態、及び第二実施形態と同様の作用を奏すので、説明を省略する。
【図面の簡単な説明】
【００７２】
【図１】第一実施形態の光走査装置の構成を示す斜視図である。
【図２】（Ａ）第１実施形態の光走査装置の光源を示す平面図である。
【００７３】
（Ｂ）第１実施形態の感光体を示す平面図である。
【図３】第１実施形態の光走査装置を示す概略図である
【図４】シリンダーレンズを副走査断面から見た図である。
【図５】シリンダーレンズの光軸方向の移動による偏向面への副走査方向の入射角度を変化を模式的に示す図である。
【図６】（Ａ）シリンダーレンズ移動機構を示す分解斜視図である。
【００７４】
（Ｂ）シリンダーレンズ移動機構を示す平面図である。
【図７】光源回転機構を示す図である。
【図８】走査線の湾曲を説明する説明図である。
【図９】走査線の湾曲量を調整する様子を模式的に示す図である。
【図１０】（Ａ）走査線の湾曲量が異なり、ＢＯＷ差が発生している図である。
【００７５】
（Ｂ）走査線の湾曲量が解消され、ＢＯＷ差も解消している図である。
【図１１】第二実施形態の光走査装置を模式的に示す平面図である。
【図１２】第二実施形態の光走査装置の反射ミラーを回転し偏向面への入射角度を調整する様子を模式的に示す図である。
【図１３】第三実施形態の光走査装置を模式的に示す平面図である。
【図１４】反射ミラー角度調整機構を示す図である。
【符号の説明】
【００７６】
１０        光走査装置
１２        感光体（被走査体）
１４        光源
１６        偏向前光学系
１８Ａ      偏向面
１８        回転手面鏡（偏向器）
１００        シリンダーレンズ移動機構（第一の入射角度調整手段）
１５０        光源回転機構（角度調整手段）
２５４        反射ミラー（第二の入射角度調整手段）
２６        シリンダーレンズ
Ｐ        発光点
Ｓ        走査線
Ｌ        レーザビーム（光ビーム）
ＬＹ〜Ｋ  レーザビーム群（光束群）
【図１】
0005114833.tif 000002
【図２】
0005114833.tif 000003
【図３】
0005114833.tif 000004
【図４】
0005114833.tif 000005
【図５】
0005114833.tif 000006
【図６】
0005114833.tif 000007
【図７】
0005114833.tif 000008
【図８】
0005114833.tif 000009
【図９】
0005114833.tif 000010
【図１０】
0005114833.tif 000011
【図１１】
0005114833.tif 000012
【図１２】
0005114833.tif 000013
【図１３】
0005114833.tif 000014
【図１４】
0005114833.tif 000015